(57)【要約】【課    題】   装飾性と身体にソフトな感触を与え、健康増進機能を長期に安定して発揮できる身体装身具の提供。【解決手段】    チタン微粉末を混入したシリコーンエラストマー層を皮膚接触側に、シリコーンエラストマーの飾り突条を外側に有し、且つ、一方端に傘付突起を他方端に該傘付突起が嵌合可能な小孔を有するシリコーンエラストマー装身具本体からなる環状形成が可能な身体装身具。【選択図面】  図１【実用新案登録請求の範囲】
【請求項１】
シリコーンエラストマー装身具本体の皮膚接触側に不連続のチタン微粉末を混入したシリコーンエラストマー層を有し、その外側にシリコーンエラストマーの飾り突条を有し、且つ、一方端に傘付突起を他方端に該傘付突起が嵌合可能な小孔を有することを特徴とする環状形成が可能な身体装身具。
【請求項２】
上記皮膚接触側のチタン微粉末を混入したシリコーンエラストマー層は、金型成形によって形成、又はチタン微粉末を混入したシリコーンエラストマーの塗布液のコーティングによって形成されることを特徴とする請求項１に記載の身体装身具。
【請求項３】
ネックレス、ブレスレット、リストバンド又はヘアバンドから選ばれたものであることを特徴とする請求項１又は２に記載の身体装身具。
【請求項４】
チタン微粉末の主成分として、高圧水中で酸素と水素の混合ガスを燃焼させ、その燃焼ガスで元素金属チタンを溶融させることによって水中に沈下したチタン微粉末を使用することを特徴とする請求項１〜３のいずれかに記載の身体装身具。
【考案の詳細な説明】
【技術分野】
【０００１】
本考案は、身体各所に装着することによって健康改善に寄与する、チタン微粉末を含有した身体装身具に関する。
本考案の身体装身具は、そのままを環状形成して使用できるが、長尺が必要なときには、複数個を連結して環状に形成して使用することも可能である。
【背景技術】
【０００２】
装身具は、古典的には金属材料を使用し、プレス加工、切削加工、研削加工等の加工手段で目的の形状に成形されていたが、装身具のデザインの多様化で形状が複雑になり、上記複雑形状に加工するのが難しくなり、量産する上でも問題が多かった。金属粉末射出成形法で、時計ケースやイヤリング等の装身具の焼結体を製造することも知られている（特開平９−５３１５９号公報）。材料が金属に限らず、合成樹脂やゴム等にマグネット微粉末を配合して磁気による血行促進の効用を有する装身具も知られている（実用新案登録第３０６８７５８号）。美装品成形のための材料として、ゴム、合成樹脂を用いることも、例えばアクリル樹脂等の熱可塑性合成樹脂材料に貝パウダーや炭酸カルシウムを混入し射出成形して得た装身具（特開昭５５−７４５６号公報）が知られている。
【０００３】
一方、シリコーンゴム材料の成形法は、他のゴム系材料の成形に比して比較的新しいが、薄肉シリコーンゴムシート模様片を厚肉の未加硫シリコーンゴムシート上に配置した模様入りシリコーンゴム装飾品の製造方法（特開昭６３−５７２１１号公報）、液状シリコーンゴムを予め金型内に注入し、上から布シートを載置して一体化した立体デザインのすぐれた布製水泳帽の製造法（特開平２−２７９３１２号公報）、第１金型と第２金型にシリコーンゴムを充填し、電子部品等の内装品を介在させて一体化する方法（特開平５−２６１７４４号公報）、シリコーンゴム（ミラブル型）と服飾資材用素材とからなる成形品の製造法（特開平１１−４６８１０号公報）、シリコーンゴムシートを金型に合わせて切り出して衣料品やバック類を製造する方法（特開２０００−３１７９６６号公報）も公知である。
【０００４】
さらに、シリコーンゴム材料を用いて装飾品を製造することも知られており、
成形金型内のシリコーンゴムリングの中に色違いビーズを複数個載置することによるブレスレット、アンクレット、ネックレス等の多色プレス製品製造法（特開２０００−３４０８５５号公報）も知られている。
上述するような従来法では、金属材料では複雑形状製品の製造が煩雑で、手数がかかるので、所望形状の身体装身具を簡易に製造する技術が希求されていた。本考案では、シリコーンエラストマー材料を使用することによって、容易に身体装身具を製造することができる。
【０００５】
【特許文献１】特開平０９−０５３１５９号公報
【特許文献２】実用新案登録第３０６８７５８号
【特許文献３】特開昭５５−００７４５６号公報
【特許文献４】特開昭６３−０５７２１１号公報
【特許文献５】特開平０２−２７９３１２号公報
【特許文献６】特開平０５−２６１７４４号公報
【特許文献７】特開平１１−０４６８１０号公報
【特許文献８】特開２０００−３１７９６６号公報
【特許文献９】特開２０００−３４０８５５号公報
【考案の開示】
【考案が解決しようとする課題】
【０００６】
従来のプラスチックと金属、プラスチックとプラスチック、合成皮革とゴムの各混合物を材料として形成された身体装身具には得られなかった、ソフトな感触、透明感、装飾性を備え、従来の磁石含有の装身具よりも健康増進への寄与面で効能を有する身体装身具を提供することを課題とする。
【課題を解決するための手段】
【０００７】
本考案は、以下の構成を基本的特徴とするものである。
（１） シリコーンエラストマー装身具本体の皮膚接触側にチタン微粉末を混入したシリコーンエラストマー層を有し、シリコーンエラストマー装身具本体の外側にシリコーンエラストマーの飾り突条を有し、且つ一方端に傘付突起及び他方端に該傘付突起が嵌合可能な小孔を有することを特徴とする環状形成が可能な身体装身具。
（２）上記皮膚接触側のチタン微粉末を混入したシリコーンエラストマー層は、金型成形によって形成、又はチタン微粉末を混入したシリコーンエラストマーの塗布液のコーティングによって形成されることを特徴とする（１）に記載の身体装身具。
（３）ネックレス、ブレスレット、リストバンド又はヘアバンドから選ばれたものであることを特徴とする（１）又は（２）に記載の身体装身具。
（４）チタン微粉末の主成分として、高圧水中で酸素と水素の混合ガスを燃焼させ、その燃焼ガスで元素金属チタンを溶融させることによって水中に沈下したチタン微粉末を使用することを特徴とする（１）〜（３）のいずれかに記載の身体装身具。
【考案の効果】
【０００８】
本考案における健康増進効果のあるチタン微粉末を組み込んだ身体装身具をシリコーンエラストマーで作成して身体に装着することによりツボや患部を刺激して血行を促進し、肩凝りや筋肉痛を癒すことのできるといった効果をもつ可撓性のある安定した製品を安価に製造する方法を確立して、服飾用装身具を兼ねた製品を得ることが可能となった。
【考案を実施するための最良の形態】
【０００９】
本考案の身体装身具は、チタン微粉末を混入したシリコーンエラストマー層を皮膚接触側に、シリコーンエラストマーの飾り突条を外側に有するシリコーンエラストマー装身具本体からなるものであるが、チタン微粉末を混入したシリコーンエラストマー層、シリコーンエラストマーの飾り突条及びシリコーンエラストマー装身具本体をそれぞれ形成するには、押出成形法、射出成形法や圧縮成形法が適用できるが、金型を用いた圧縮成形によって成形するのが適する。
【００１０】
すなわち、本考案では、圧縮成形によりシリコーンエラストマー装身具を形成するには、第１工程としてシリコーンエラストマー装身具本体に連続凹部を形成し、第２工程として該連続凹部にチタン微粉末含有シリコーンエラストマー層を埋め、第３工程として別途シリコーンエラストマーの飾り突条を形成しておき、第４工程として該飾り突条の上に第２工程で得られた装身具本体を載置して加熱加硫して一体化することによって身体装身具本体を形成する。
【００１１】
また、本考案の身体装身具では、別法として、先ず、飾り突条を形成し、次に得られた飾り突条の上にシリコーンエラストマー本体を載置し、加熱加硫して一体化の後、チタン微粉末を混入したシリコーンエラストマーの溶剤溶液をシリコーンエラストマー本体の一部に帯状に塗布することもできるが、この塗布法によってチタン微粉末含有層を設けるときは、塗布域の正確な制御が難しい上に、塗布層が摩耗などによって脱落するという耐久性が、前者に比して劣ることもある。しかしながら、上記圧縮法、塗布層の何れにおいてもその作用効果に変わるところはない。
【００１２】
本考案において使用するシリコーンエラストマーは、シロキサン結合を持つ有機ケイ素ポリマーの中で、ゴム状を呈するものであれば、限定されることなく使用することができる。
また、シリコーンエラストマーに混入するチタン粉末としては、少なくとも主成分としては、高圧水中で酸素と水素の混合ガスを燃焼させ、その燃焼ガスで金属チタンを加熱し、粉末化したチタン微粉末を用いるのが適当である（特許第３５０７０６３号）。これは、この方法で得られたチタン微粉末が、副生物や不純物などの生成が全く含まれておらず、得られた金属粉末の球状形状の均一性や粉末粒度が一定で、経済的であり、さらに効能的にも優れていることによる。
【００１３】
上記チタン微粉末に混合して使用する他のチタン粉末としては、チタン原子を含有する化合物の粉末であればよい。例えば、ルチル、イタチタン石、エイスイ石等の鉱物を使用することができる。また、チタン合金粉末としては、チタンと、銅、スズ、鉄、アルミニウム、クロム、コバルト、モリブデン、タングステン等の金属との合金の粉末を使用できる。例えば、チタン合金粉末としては、Ti-Al、Ti-V、Ti-Mo、Ti-Cr、Ti-Mn、Ti-Fe、Ti-Al-Cr、Ti-Cr-Fe-O等があり、それぞれの合金の組成比が任意の粉末を用いることができる。
【００１４】
さらに、チタン化合物粉末も使用することが可能で、例えばTiH2、TiH４等の水素化物、TiO、Ti2O3、TiO2、Ti(OH)2、Ti(OH)3、M2TiO3（Ｍは金属原子）等の酸化物、TiS、Ti2S3、TiS2等の硫化物、Ti2(SO4)3、Ti(SO4)2、TiP2O7等の酸素酸塩、Ti2B、TiB、TiB2、Ti2B5等のホウ化物、TiCからなる炭化チタン、TiSi2、TiSi、Ti5Si3等のケイ化物、TiN、Ti3N4、Ti3N6、Ti5N6等の窒化物、TiPn等のリン化物、TiCl2、TiCl3、TiCl4、TiBr2、TiBr3、TiBr4、TiI2、TiI3、TiI4 等のチタンとハロゲンとの化合物、M2TiF5、M3TiF6、M2TiF6、M2[TiCl5(OH)2]、M2TiCl6、[Ti(OH)6]Cl3、M2[TiBr6]等の複合塩、CaTiO3、SrTiO3、BaTiO3、CdTiO3、PbTiO3等のチタン酸塩等の粉末を用いることができる。
【００１５】
本考案では、シリコーンエラストマーの特徴に適した身体装身具である製品には種々の製品を形成することが可能であり、服飾用装身具を兼ねたネックレスやブレスレットがあるが、特にスポーツ選手が神経・筋肉をリラックスさせるリストバンド、ネックレス、ブレスレット、ヘアバンドとして使用するのが効果的である。
【００１６】
本考案の身体装身具を図で説明する。
図１は本考案の身体装身具の一例で、図１は本考案のシリコーンエラストマー身体装身具の斜視図、図２は本考案のシリコーンエラストマー身体装身具の裏側（皮膚接触面）平面図、図３は図２Ａ−Ａ断面、図３は図２Ｂ−Ｂ断面、図４は図２Ｃ−Ｃ断面、図５は図２Ｄ−Ｄ断面をそれぞれ示す。
本考案の身体装身具は、上記図１〜５に示されるように装身具本体部８、留め用連結部２（小孔）、留め用連結部３（傘付突起）よりなっている。装身具本体部８の裏面側には不連続のチタン粉末含有層４が形成されている。
【００１７】
本考案の身体装身具は、適宜の数の傘付突起とそれに嵌合する小孔部を合わせて環状に形成する。傘付突起３、３'と小孔２、２'、２'’、２''’を求める寸法に応じて適宜嵌合させるが、嵌合を円滑にするために、傘付突起３−３'、小孔２−２'、２'’−２''’の間隔はそろえておく必要がある。身体装身具は、使用用途に応じて複数個の身体装身具本体８を連結していくことも可能である。
【００１８】
本考案の身体装身具では、成形素材にシリコーンエラストマーを用いて装飾性と身体にソフトな感触を与え、上記チタン微粉末を主成分として用いることにより金属チタンの血行促進などの生理作用や電磁気作用により従来の身体装身具に比べて優れた健康増進機能を長期に安定して発揮できる身体装身具を得ることが可能となった。
本考案では、金属チタンの血行促進などの生理作用や電磁気作用などの特性を活かして従来の身体装身具に比べて優れた健康増進の機能を発揮する。これらチタンの作用は、チタンが皮膚に直接接触しなくても有効であり、効能発生も早く、長期間にわたりその効力を維持し、健康増進効果が顕著である。
【図面の簡単な説明】
【００１９】
【図１】本考案のシリコーンエラストマー身体装身具の斜視図
【図２】本考案のシリコーンエラストマー身体装身具の裏側（皮膚接触面）平面図
【図３】図２Ａ−Ａ断面
【図４】図２Ｂ−Ｂ断面
【図５】図２Ｃ−Ｃ断面
【図６】図２Ｄ−Ｄ断面
【符号の説明】
【００２０】
１．装身具（ネックレス）
２．留め用連結部（小孔）
３．留め用連結部（傘付突起）
４．チタン粉末含有層
８．装身具本体
【図１】
0003105995.tif 000002
【図２】
0003105995.tif 000003
【図３】
0003105995.tif 000004
【図４】
0003105995.tif 000005
【図５】
0003105995.tif 000006
【図６】
0003105995.tif 000007